【手続補正書】
【提出日】平成18年9月22日(2006.9.22)
【手続補正１】
【補正対象書類名】特許請求の範囲
【補正対象項目名】全文
【補正方法】変更
【補正の内容】
【特許請求の範囲】
【請求項１】
伝送又は記憶されるオーディオ信号の周波数帯域を拡張して出力するオーディオ信号再生装置であって、
前記オーディオ信号の高音域の周波数スペクトルを持つ付加信号を生成して出力する信号生成部と、
前記オーディオ信号と前記付加信号とを合成して出力する合成部と、
前記信号生成部における前記付加信号の生成に係る処理を制御する制御部とを備え、
前記制御部は、オーディオ信号再生装置の再生動作のモードを監視し、再生動作のモードに基づいて前記付加信号の生成に係る処理を制御することを特徴とするオーディオ信号再生装置。
【請求項２】
前記信号生成部は、２種類以上の調整部を備え、前記制御部の制御により、何れか一つの調整部を用いて前記付加信号を生成することを特徴とする請求項１記載のオーディオ信号再生装置。
【請求項３】
前記制御部は、オーディオ信号再生装置の再生動作のモードを監視し、再生動作のモードが早送り再生動作である場合に、前記付加信号の生成に係る処理を実行しないように制御することを特徴とする請求項１又は２記載のオーディオ信号再生装置。
【請求項４】
符号化処理でオーディオ信号の周波数帯域が制限されて伝送又は記憶された符号化信号に対して復号化処理を行って、復号オーディオ信号を生成すると共に、前記復号オーディオ信号の周波数帯域を拡張して出力するオーディオ信号再生装置であって、
前記符号化信号に復号化処理を行い、復号オーディオ信号を生成する復号化部と、
前記復号オーディオ信号の高音域の周波数スペクトルを持つ付加信号を生成して出力する信号生成部と、
前記復号オーディオ信号と前記付加信号とを合成して出力する合成部と、
前記信号生成部における前記付加信号の生成に係る処理を制御する制御部とを備え、
前記制御部は、オーディオ信号再生装置の再生動作のモードを監視し、再生動作のモードに基づいて前記付加信号の生成に係る処理を制御することを特徴とするオーディオ信号再生装置。
【請求項５】
前記信号生成部は、２種類以上の調整部を備え、前記制御部の制御により、何れか一つの調整部を用いて前記付加信号を生成することを特徴とする請求項４記載のオーディオ信号再生装置。
【請求項６】
前記制御部は、オーディオ信号再生装置の再生動作のモードを監視し、再生動作のモードが早送り再生動作である場合に、前記付加信号の生成に係る処理を実行しないように制御することを特徴とする請求項４又は５記載のオーディオ信号再生装置。
【請求項７】
伝送又は記憶されるオーディオ信号の周波数帯域を拡張して出力するオーディオ信号再生方法であって、
前記オーディオ信号の高音域の周波数スペクトルを持つ付加信号を生成して出力するステップと、
前記オーディオ信号と前記付加信号とを合成して出力するステップと、
オーディオ信号再生方法の再生動作のモードを監視し、再生動作のモードに基づいて、前記付加信号の生成に係る処理を制御するステップとを備えることを特徴とするオーディオ信号再生方法。
【請求項８】
２つ以上の帯域調整処理を備え、前記付加信号の生成に係る処理を制御するステップにより、何れか一つの帯域調整処理を用いて前記付加信号を生成することを特徴とする請求項７記載のオーディオ信号再生方法。
【請求項９】
オーディオ信号再生方法の再生動作のモードを監視し、再生動作のモードが早送り再生動作である場合に、前記付加信号の生成に係る処理を実行しないように制御することを特徴とする請求項７又は８記載のオーディオ信号再生方法。
【請求項１０】
符号化処理でオーディオ信号の周波数帯域を制限されて伝送又は記憶される符号化信号に対して復号化処理を行って、復号オーディオ信号を生成すると共に、前記復号オーディオ信号の周波数帯域を拡張して出力するオーディオ信号再生方法であって、
前記符号化信号に復号化処理を行い、復号オーディオ信号を生成するステップと、
前記復号オーディオ信号の高音域の周波数スペクトルを持つ付加信号を生成して出力するステップと、
前記復号オーディオ信号と前記付加信号とを合成して出力するステップと、
オーディオ信号再生方法の再生動作のモードを監視し、再生動作のモードに基づいて、前記付加信号の生成に係る処理を制御するステップとを備えることを特徴とするオーディオ信号再生方法。
【請求項１１】
２つ以上の帯域調整処理を備え、前記付加信号の生成に係る処理を制御するステップにより、何れか一つの帯域調整処理を用いて前記付加信号を生成することを特徴とする請求項１０記載のオーディオ信号再生方法。
【請求項１２】
オーディオ信号再生方法の再生動作のモードを監視し、再生動作のモードが早送り再生動作である場合に、前記付加信号の生成に係る処理を実行しないように制御することを特徴とする請求項１０又は１１記載のオーディオ信号再生方法。
【手続補正２】
【補正対象書類名】明細書
【補正対象項目名】００１９
【補正方法】変更
【補正の内容】
【００１９】
本願の請求項１の発明は、伝送又は記憶されるオーディオ信号の周波数帯域を拡張して出力するオーディオ信号再生装置であって、前記オーディオ信号の高音域の周波数スペクトルを持つ付加信号を生成して出力する信号生成部と、前記オーディオ信号と前記付加信号とを合成して出力する合成部と、前記信号生成部における前記付加信号の生成に係る処理を制御する制御部とを備え、前記制御部は、オーディオ信号再生装置の再生動作のモードを監視し、再生動作のモードに基づいて前記付加信号の生成に係る処理を制御することを特徴とするものである。
【手続補正３】
【補正対象書類名】明細書
【補正対象項目名】００２１
【補正方法】変更
【補正の内容】
【００２１】
本願の請求項３の発明は、請求項１又は２のオーディオ信号再生装置において、前記制御部は、オーディオ信号再生装置の再生動作のモードを監視し、再生動作のモードが早送り再生動作である場合に、前記付加信号の生成に係る処理を実行しないように制御することを特徴とする。
【手続補正４】
【補正対象書類名】明細書
【補正対象項目名】００２２
【補正方法】削除
【補正の内容】
【手続補正５】
【補正対象書類名】明細書
【補正対象項目名】００２３
【補正方法】変更
【補正の内容】
【００２３】
本願の請求項４の発明は、符号化処理でオーディオ信号の周波数帯域が制限されて伝送又は記憶された符号化信号に対して復号化処理を行って、復号オーディオ信号を生成すると共に、前記復号オーディオ信号の周波数帯域を拡張して出力するオーディオ信号再生装置であって、前記符号化信号に復号化処理を行い、復号オーディオ信号を生成する復号化部と、前記復号オーディオ信号の高音域の周波数スペクトルを持つ付加信号を生成して出力する信号生成部と、前記復号オーディオ信号と前記付加信号とを合成して出力する合成部と、前記信号生成部における前記付加信号の生成に係る処理を制御する制御部とを備え、前記制御部は、オーディオ信号再生装置の再生動作のモードを監視し、再生動作のモードに基づいて前記付加信号の生成に係る処理を制御することを特徴とするものである。
【手続補正６】
【補正対象書類名】明細書
【補正対象項目名】００２４
【補正方法】変更
【補正の内容】
【００２４】
本願の請求項５の発明は、請求項４のオーディオ信号再生装置において、前記信号生成部は、２種類以上の調整部を備え、前記制御部の制御により、何れか一つの調整部を用いて前記付加信号を生成することを特徴とする。
【手続補正７】
【補正対象書類名】明細書
【補正対象項目名】００２５
【補正方法】変更
【補正の内容】
【００２５】
本願の請求項６の発明は、請求項４又は５のオーディオ信号再生装置において、前記制御部は、オーディオ信号再生装置の再生動作のモードを監視し、再生動作のモードが早送り再生動作である場合に、前記付加信号の生成に係る処理を実行しないように制御することを特徴とする。
【手続補正８】
【補正対象書類名】明細書
【補正対象項目名】００２６
【補正方法】削除
【補正の内容】
【手続補正９】
【補正対象書類名】明細書
【補正対象項目名】００２７
【補正方法】変更
【補正の内容】
【００２７】
本願の請求項７の発明は、伝送又は記憶されるオーディオ信号の周波数帯域を拡張して出力するオーディオ信号再生方法であって、前記オーディオ信号の高音域の周波数スペクトルを持つ付加信号を生成して出力するステップと、前記オーディオ信号と前記付加信号とを合成して出力するステップと、オーディオ信号再生方法の再生動作のモードを監視し、再生動作のモードに基づいて、前記付加信号の生成に係る処理を制御するステップとを備えることを特徴とするものである。
【手続補正１０】
【補正対象書類名】明細書
【補正対象項目名】００２８
【補正方法】変更
【補正の内容】
【００２８】
本願の請求項８の発明は、請求項７のオーディオ信号再生方法において、２つ以上の帯域調整処理を備え、前記付加信号の生成に係る処理を制御するステップにより、何れか一つの帯域調整処理を用いて前記付加信号を生成することを特徴とする。
【手続補正１１】
【補正対象書類名】明細書
【補正対象項目名】００２９
【補正方法】変更
【補正の内容】
【００２９】
本願の請求項９の発明は、請求項７又は８のオーディオ信号再生方法において、オーディオ信号再生方法の再生動作のモードを監視し、再生動作のモードが早送り再生動作である場合に、前記付加信号の生成に係る処理を実行しないように制御することを特徴とする。
【手続補正１２】
【補正対象書類名】明細書
【補正対象項目名】００３０
【補正方法】削除
【補正の内容】
【手続補正１３】
【補正対象書類名】明細書
【補正対象項目名】００３１
【補正方法】変更
【補正の内容】
【００３１】
本願の請求項１０の発明は、符号化処理でオーディオ信号の周波数帯域を制限されて伝送又は記憶される符号化信号に対して復号化処理を行って、復号オーディオ信号を生成すると共に、前記復号オーディオ信号の周波数帯域を拡張して出力するオーディオ信号再生方法であって、前記符号化信号に復号化処理を行い、復号オーディオ信号を生成するステップと、前記復号オーディオ信号の高音域の周波数スペクトルを持つ付加信号を生成して出力するステップと、前記復号オーディオ信号と前記付加信号とを合成して出力するステップと、オーディオ信号再生方法の再生動作のモードを監視し、再生動作のモードに基づいて、前記付加信号の生成に係る処理を制御するステップとを備えることを特徴とするものである。
【手続補正１４】
【補正対象書類名】明細書
【補正対象項目名】００３２
【補正方法】変更
【補正の内容】
【００３２】
本願の請求項１１の発明は、請求項１０のオーディオ信号再生方法において、２つ以上の帯域調整処理を備え、前記付加信号の生成に係る処理を制御するステップにより、何れか一つの帯域調整処理を用いて前記付加信号を生成することを特徴とする。
【手続補正１５】
【補正対象書類名】明細書
【補正対象項目名】００３３
【補正方法】変更
【補正の内容】
【００３３】
本願の請求項１２の発明は、請求項１０又は１１のオーディオ信号再生方法において、オーディオ信号再生方法の再生動作のモードを監視し、再生動作のモードが早送り再生動作である場合に、前記付加信号の生成に係る処理を実行しないように制御することを特徴とする。
【手続補正１６】
【補正対象書類名】明細書
【補正対象項目名】００３４
【補正方法】削除
【補正の内容】